(57)【要約】【課題】下部側を有幅な平板状のロア部で形成したシートバックフレームを基枠とし、リクライニング機構を組み付けるにも邪魔とならない簡単な構造により、衝突時等の外力に対して対抗可能な剛性をシートバックフレームの下部側に持たせる。【解決手段】アッパー部１０から左右のサイド部１１，１２を含めて略逆Ｕ字状の枠状に形成すると共に、ロア部１３を両サイド部の下寄り後縁間に亘る有幅の平板状に形成し、そのフレーム全体を軽合金から一体に成形したシートバックフレーム１を基枠とし、リクライニング機構２のカムデバイス２ａ，２ｂを両サイド部１１，１２の下寄り外側に取り付け、該デバイス相互２ａ，２ｂを両サイド部１１，１２の下寄り内側に亘る作動シャフト２ｃで連結するもので、シートバックフレーム１の下部側を補強する金属製のパイプ部材３を作動シャフト２ｃの軸線上に嵌装した。【選択図】図１
2006027542.tif 000002
【特許請求の範囲】
【請求項１】
アッパー部から左右のサイド部を含めて略逆Ｕ字状の枠状に形成すると共に、ロア部を両サイド部の下寄り後端縁に亘る有幅の平板状に形成し、そのフレーム全体を軽合金から一体に成形したシートバックフレームを基枠とし、
リクライニング機構のカムデバイスを両サイド部の下寄り外側に取り付け、該デバイス相互を両サイド部の下寄り内側に亘る作動シャフトで連結する自動車用リライニングシートにおいて、
シートバックフレームの下部側を補強する金属製のパイプ部材を作動シャフトの軸線上に嵌装してなることを特徴とする軽金属製フレームによる自動車用リクライニングシート。
【請求項２】
作動シャフトの軸線長さよりも相対的に短い長さのパイプ部材を作動シャフトの軸線上に嵌装してなることを特徴とする請求項１に記載の自動車用リクライニングシート。
【請求項３】
樹脂製のカラーを両端部に嵌め込んだパイプ部材を作動シャフトの軸線上に遊嵌してなることを特徴とする請求項１または２に記載の自動車用リクライニングシート。
【発明の詳細な説明】
【技術分野】
【０００１】
本発明は、フレーム全体を軽合金から形成したシートバックフレームを基枠とする自動車用リクライニングシートに関するものである。
【背景技術】
【０００２】
従来、マグネシウム，アルミニウム等のリサイクル可能な軽合金からシートバックフレームを基枠として自動車用シートのシートバックを組み立てることは知られている。（特許文献１）。
【０００３】
その軽合金から形成するシートバックフレームにおいては、リクライニング機構をフレーム下部寄りに備え付けることから、アッパー部から左右のサイド部を含めて略逆Ｕ字状の枠状に形成すると共に、ロア部を両サイド部の下寄り後縁間に亘る有幅の平板状に形成することが図られている。
【０００４】
そのシートバックフレームの下部側を有幅な平板状のロア部のみから形成するだけであると、衝突時等の外力に対して対抗可能な剛性の点からすると好ましくない。この剛性を持たせるには、ロア部の肉厚を厚く形成すればよいが、軽量化の要請に反するものになってしまう。
【特許文献１】特開２００１‐１１４００４号公報
【発明の開示】
【発明が解決しようとする課題】
【０００５】
本発明の解決しようとする課題は、下部側を有幅な平板状のロア部で形成したシートバックフレームを基枠とし、リクライニング機構を組み付けるにも邪魔とならない簡単な構造により、衝突時等の外力に対して対抗可能な剛性をシートバックフレームの下部側に持たせる軽合金製フレームによる自動車用リクライニングシートを構成することにある。
【課題を解決するための手段】
【０００６】
本発明の請求項１は、アッパー部から左右のサイド部を含めて略逆Ｕ字状の枠状に形成すると共に、ロア部を両サイド部の下寄り後縁間に亘る有幅の平板状に形成し、そのフレーム全体を軽合金から一体に成形したシートバックフレームを基枠とし、
リクライニング機構のカムデバイスを両サイド部の下寄り外側に取り付け、該デバイス相互を両サイド部の下寄り内側に亘る作動シャフトで連結する自動車用リライニングシートにおいて、
シートバックフレームの下部側を補強する金属製のパイプ部材を作動シャフトの軸線上に嵌装してなることを特徴とする。
【０００７】
本発明の請求項２は、作動シャフトの軸線長さよりも相対的に短い長さのパイプ部材を作動シャフトの軸線上に嵌装してなることを特徴とする。
【０００８】
本発明の請求項３は、樹脂製のカラーを両端部に嵌め込んだパイプ部材を作動シャフトの軸線上に遊嵌してなることを特徴とする。
【発明の効果】
【０００９】
本発明の請求項１に係る軽合金製フレームによる自動車用リクライニングシートでは、シートバックフレームの下部側を補強する金属製のパイプ部材を作動シャフトの軸線上に嵌装することから、外力が加わった際に、その外力を有幅な平板状のロア部とパイプ部材の軸力で分担することから、外力に対して対抗可能な剛性をシートバックフレームの下部側に持たせられる。また、パイプ部材を作動シャフトの軸線上に嵌装するだけであるため、リクライニング機構の組付けに邪魔とならず簡単に組み付けられる。
【００１０】
本発明の請求項２に係る軽合金製フレームによる自動車用リクライニングシートでは、作動シャフトの軸線長さよりも相対的に短い長さのパイプ部材を作動シャフトの軸線上に嵌装することから、外力が加わるに伴って、作動シャフトを含むパイプ部材が曲がるとしても、パイプ部材が相対的に短い長さを持って作動シャフトの軸線上で突っ張り作用しないため、外力による衝撃エネルギーを作動シャフトと共にパイプ部材の曲りで効果的に吸収できる。
【００１１】
本発明の請求項３に係る軽合金製フレームによる自動車用リクライニングシートでは、樹脂製のカラーを両端部に嵌め込んだパイプ部材を作動シャフトの軸線上に遊嵌することから、リクライニング機構をレバー操作で作動するに伴う作動シャフトの回転に支障を来さず、パイプ部材との擦れによる異音が発生するのを防げる。
【発明を実施するための最良の形態】
【００１２】
図１は、自動車用シートのシートバックを組み立てるシートバックフレーム１を示す。このシートバックフレーム１は、アッパー部１０、左右のサイド部１１，１２、ロア部１３を含むフレーム全体がマグネシウム，アルミニウム等の軽合金、好ましくは軽量でリサイクル可能なマグネシウム合金からダイカスト成形またはインジェクション成形で形成されている。
【００１３】
その構成中、アッパー部１０から左右のサイド部１１，１２は略逆Ｕ字状を呈する枠状に形成されている。アッパー部１０は、円弧状の両肩を含めて前方に張り出す天板１０ａと、天板１０ａの後端縁より枠内に亘る背板１０ｂとから剛性を有するよう形成されている。左右のサイド部１１，１２は、アッパー部１０の天板１０ａより連続する側板１１ａ，１２ａと、アッパー部１０の背板１０ｂより連続する縁取り板１１ｂ，１２ｂとから剛性を有するよう形成されている。
【００１４】
ロア部１３は、リクライニング機構の組付け空間を確保するべく、図２並びに図３で示すようにサイド部１１，１２の縁取り板１１ｂ，１２ｂと面一で後端縁の下端寄りに亘る有幅の板状に形成されている。このロア部１３を含み、フレーム全体はアッパー部１０と左右のサイド部１１，１２とから略四辺形の枠状に形成されている。
【００１５】
その他に、シートバックフレーム１にはヘッドレスト（図示せず）を着脱可能に備えるべく、ヘッドレストのスティを立て付ける筒状ホルダー１４ａ，１４ｂがアッパー部１０の内側で天板１０ａと背板１０ｂの板面に亘るよう縦に設けられている。また、図４で示すようにシートクッションフレームとボルト締め固定するサイドブラケット１５ａ，１５ｂ（図１参照）がサイド部１１，１２の下部側に備え付けられている。
【００１６】
リクライニング機構２は、カムデバイス２ａ，２ｂを両サイド部１１，１２の下寄り外側に取り付け、デバイス相互２ａ，２ｂを両サイド部１１，１２の下寄り内側に亘る作動シャフト２ｃで連結し、カムデバイス２ａ，２ｂのいずれか片側で作動シャフト２ｃの同軸上に装着する操作レバー（図示せず）でシートバックの傾倒角度を調整可能に備え付けられている。
【００１７】
上述した構成の下に、アルミニウム等の軽量な金属製で円筒状のパイプ部材３が作動シャフト２ｃの軸線上に嵌装されている。このパイプ部材３は有幅な平板状のロア部１３によるシートバックフレーム１の下部側を補強するものでなり、衝突時等の外力が加わった際に、その外力を軸力で分担することから、外力に対して対抗可能な剛性をシートバックフレーム１の下部側に持たせられる。
【００１８】
パイプ部材３としては、作動シャフト２ｃの軸線長さよりも相対的に短い長さ（Ｘ＞Ｙ：図１参照）のものが嵌装されている。これにより、外力が加わるに伴って、作動シャフト２ｃを含むパイプ部材３が曲がるとしても、パイプ部材３が相対的に短い長さを持って作動シャフト２ｃの軸線上で突っ張り作用しない。そのため、外力による衝撃エネルギーを作動シャフト２ｃと共にパイプ部材３の曲りで効果的に吸収できる。
【００１９】
そのパイプ部材３としては、図５で示すようにシリコン等の滑性に富んだ樹脂製のカラー４ａ，４ｂを両端部に嵌め込んだものが遊嵌されている。これにより、リクライニング機構２をレバー操作で作動するに伴う作動シャフト２ｃの回転に支障を来さず、パイプ部材３との擦れによる異音が発生するのを防げる。
【００２０】
このように構成する軽合金製フレームによる自動車用リクライニングシートでは、パイプ部材３を作動シャフト２ｃの軸線上に嵌装するだけであるため、リクライニング機構２の組付けに邪魔とならないで簡単に組み付けられる。
【００２１】
上述したパイプ部材３による補強と併せて、図６で示すように鋼板等の撓み性を有する金属製の帯状板材５をロア部１３の背面側で長手方向にあてがい固定するようにできる。この帯状板材５は、図７で示すように間隔を隔てて少なくとも二つの横長穴５ａ，５ｂを板面に設け、その横長穴５ａ，５ｂの略中央位置からロア部１３の板面に挿通するボルト６ａ，７ａをナット６ｂ，７ｂで締め付けることからロア部１３の板面にあてがい固定するとよい。
【００２２】
その帯状板材５をロア部１３の板面にあてがい固定すると、万が一、ロア部１３が割れたとしても、図８で示すようにボルト６ａ，７ａ、ナット６ｂ，７ｂによる締付け手段が横長穴５ａ，５ｂでズレながら、帯状板材５が撓んでロア部１３の割れ部分を受止め保持することから、ロア部１３の割れ部分が大きく迫り出さないよう押えられる。図示実施の形態では、帯状板材５をロア部１３の背面側にあてがい固定する場合で説明したが、これは正面側にあてがい固定するようにもできる。
【図面の簡単な説明】
【００２３】
【図１】本発明に係る軽合金製フレームによる自動車用シートのシートバックを組み立てるシートバックフレームを示す正面図である。
【図２】図１のシートバックフレームを付属部品の取外し状態で示す正面図である。
【図３】図２のシートバックフレームをＡ−Ａ線で示す側断面図である。
【図４】図１のシートバックフレームを示す側面図である。
【図５】図１のシートバックフレームに組み付けられるパイプ部材を示す部分断面図である。
【図６】図１のシートバックフレームの付属部品として金属製の帯状部材をロア部にあてがい固定した場合を示す背面図である。
【図７】図６のシートバックフレームをＢ−Ｂ線で示す部分背面図である。
【図８】図６の帯状板材による作用状態を示す説明図である。
【符号の説明】
【００２４】
１            シートバックフレーム
１０          シートバックフレームのアッパー部
１１，１２    シートバックフレームのサイド部
１３          シートバックフレームのロア部
２            リクライニング機構
２ａ，２ｂ    カムデバイス
２ｃ          リクライニング機構の作動シャフト
３            金属製のパイプ部材
４ａ，４ｂ    パイプ部材のカラー
【図１】
2006027542.tif 000003
【図２】
2006027542.tif 000004
【図３】
2006027542.tif 000005
【図４】
2006027542.tif 000006
【図５】
2006027542.tif 000007
【図６】
2006027542.tif 000008
【図７】
2006027542.tif 000009
【図８】
2006027542.tif 000010